(57)【要約】【課題】建物の外壁に沿って流れる風を室内に取り込める状態、及び、建物の外壁に沿って流れる風を室内に取り込まない状態に設定可能な風取込装置を提供する。【解決手段】本発明に係る風取込装置１は、建物８０の壁（外壁８１及び内壁８２）を貫通して建物の室内８３と室外８４とを連通させる開口部８５の開口縁部８６より室外８４に突出するように設けられた遮風板２１と、遮風板２１を貫通するように設けられた通風孔２２と、通風孔２２を開閉可能でかつ通風孔２２を通過する風を開口部８５側に誘導する風誘導部材２３と、を備えた。【選択図】図１
2015145600.tif 000002
【特許請求の範囲】
【請求項１】
建物の壁を貫通して建物の室内と室外とを連通させる開口部の開口縁部より室外に突出するように設けられた遮風板と、
遮風板を貫通するように設けられた通風孔と、
通風孔を開閉可能でかつ通風孔を通過する風を開口部側に誘導する風誘導部材と、
を備えたことを特徴とする風取込装置。
【発明の詳細な説明】
【技術分野】
【０００１】
本発明は、建物の外壁に沿って流れる風を室内に取り込めるようにした風取込装置に関する。
【背景技術】
【０００２】
室内と室外とを連通させる窓等の開口部に建物の外壁に沿って流れる風を開口部に導くための風誘導部材（導風板）を備え、建物の外壁に沿って流れる風が風誘導部材に衝突した後に開口部を通過して室内に取り込まれるように構成された風取込装置が知られている（特許文献１等参照）。
【先行技術文献】
【特許文献】
【０００３】
【特許文献１】特開２０００−１６０９５７号公報
【発明の概要】
【発明が解決しようとする課題】
【０００４】
しかしながら、従来の風取込装置によれば、風誘導部材（導風板）が外壁に沿って流れる風を開口部に導くような状態にしか設定されず、外壁に沿って流れる風を開口部に導きたくない場合に対応できない。例えば、従来の風取込装置では、冬場において室内を換気したいが冷たい風を室内に取り込みたくない場合等に対応できない。即ち、従来の風取込装置は、建物の外壁に沿って流れる風を室内に取り込める状態に設定されるが、建物の外壁に沿って流れる風を室内に取り込まない状態に設定することはできない。
本発明は、建物の外壁に沿って流れる風を室内に取り込める状態、及び、建物の外壁に沿って流れる風を室内に取り込まない状態に設定可能な風取込装置を提供する。
【課題を解決するための手段】
【０００５】
本発明に係る風取込装置は、建物の壁を貫通して建物の室内と室外とを連通させる開口部の開口縁部より室外に突出するように設けられた遮風板と、遮風板を貫通するように設けられた通風孔と、通風孔を開閉可能でかつ通風孔を通過する風を開口部側に誘導する風誘導部材と、を備えたことを特徴とする。
【発明の効果】
【０００６】
本発明に係る風取込装置によれば、通風孔を開放することで建物の外壁に沿って流れる風を室内に取り込める状態にできるとともに、風誘導部材で通風孔を閉塞することで建物の外壁に沿って流れる風を室内に取り込まない状態に設定できる。
【図面の簡単な説明】
【０００７】
【図１】風取込装置を示す斜視図（実施形態１）。
【図２】風取込装置を示す断面図（実施形態１）。
【図３】風取込装置を示す斜視図（実施形態１）。
【図４】風取込装置を示す断面図（実施形態１）。
【図５】３バーヒンジを用いた例を示す斜視図（実施形態２）
【図６】伸縮可能な風誘導部材を用いた例を示す斜視図（実施形態３）。
【図７】風取込装置を示す斜視図（実施形態４）。
【図８】風取込装置を示す断面図（実施形態４）。
【図９】風取込装置を示す斜視図（実施形態５）。
【図１０】風取込装置を示す断面図（実施形態５）。
【図１１】折畳み可能な風取込装置を示す斜視図（実施形態６）。
【図１２】伸縮可能な風取込装置を示す斜視図（実施形態７）。
【図１３】風取込装置を示す正面図（実施形態１０）。
【図１４】風取込装置を示す断面図（実施形態１０）。
【図１５】風取込装置を示す斜視図（実施形態１０）。
【図１６】風取込装置を示す断面図（実施形態１１）。
【図１７】風取込装置を示す斜視図（実施形態１１）。
【図１８】風取込装置を示す断面図（実施形態１２）。
【発明を実施するための形態】
【０００８】
実施形態１
以下、実施形態１の風取込装置を図１乃至図４に基づいて説明する。
風取込装置１は、建物８０の外壁８１及び内壁８２を貫通して建物８０の室内８３と室外８４とを連通させる開口部８５の左（室外８４側から開口部８５を見た場合の開口部８５の左）の開口縁部８６より室外８４に突出するように設けられ、外壁８１に沿って流れる風を開口部８５に導いて室内８３に取り込む装置（図１及び図２参照）、又は、開口部８５の右（室外８４側から開口部８５を見た場合の開口部８５の右）の開口縁部８６より室外８４に突出するように設けられ、外壁８１に沿って流れる風を開口部８５に導いて室内８３に取り込む装置（図３及び図４参照）、又は、図示しないが、開口部８５の上の開口縁部８６より室外８４に突出するように設けられ、外壁８１に沿って流れる風を開口部８５に導いて室内８３に取り込む装置、又は、開口部８５の下の開口縁部８６より室外８４に突出するように設けられ、外壁８１に沿って流れる風を開口部８５に導いて室内８３に取り込む装置である。
【０００９】
風取込装置１は、開口部８５の開口縁部８６より室外８４に突出するように設けられた遮風板２１と、遮風板２１を貫通するように設けられて建物の外壁８１に沿って流れる風を通過させる通風孔２２と、通風孔２２を開閉可能でかつ通風孔２２を通過する風を開口部８５に誘導する風誘導部材２３とを備えた構成である。
【００１０】
開口部８５は、例えば、サッシ枠等の窓枠８７で囲まれた窓を形成する開口部である。窓枠８７が建物８０の壁下地に形成された窓枠固定下地８８に固定され、そして、壁下地の室外８４側に形成された外壁下地面に外壁８１が形成され、壁下地の室内８３側に形成された内壁下地面に内壁８２が形成されることによって、窓枠８７の室外８４側の外周縁を囲むように外壁８１が設けられ、窓枠８７の室内８３側の外周縁を囲むように内壁８２が設けられる。窓枠８７で囲まれた窓である開口部８５には、当該開口部８５を開閉可能な開閉体としての戸９０が設けられる。当該戸９０は、例えば、引き違い戸、上げ下げ戸、ルーバー戸等である。
【００１１】
遮風板２１は、例えば、互いに対向する板面が長方形に形成された長方形板の板面を貫通させて形成された通風孔２２を囲む枠体に形成され、当該枠体の長辺２１ａが窓枠８７の縦枠又は横枠に沿って延長するとともに枠体の板面２１ｂが外壁８１と直交するように、枠体の一方の長辺部が、開口部８５の開口縁部８６としての、例えば、窓枠８７、又は、窓枠８７近傍の窓枠固定下地８８等に取付けられる。
【００１２】
通風孔２２は、遮風板を形成する枠体で囲まれた１つ又は複数の開口により構成される。例えば、遮風板２１を形成する枠体の外形である長方形と相似な１つの長方形の貫通孔（図１；図３参照）、又は、遮風板２１を形成する枠体の内側に上下方向に複数並ぶように形成された複数の貫通孔、又は、遮風板２１を形成する枠体の内側に前後方向に複数並ぶように形成された複数の貫通孔により構成される。
遮風板２１は、通風孔２２が形成されるとともに風誘導部材２３を回転可能に支持する支持体として機能する。
尚、上述した前後方向とは、外壁８１と直交する方向であり、前方向とは室内８３から室外８４に向けて進行する方向、後方向とは室外８４から室内８３に向けて進行する方向をいう。
【００１３】
風誘導部材２３は、通風孔２２を塞ぐことが可能な大きさに形成され、ヒンジ２４により通風孔２２を開閉させるように可動可能に設けられた可動板により構成される。尚、通風孔２２を塞いでいる状態での風誘導部材２３の開口部８５に近い側の面（内面）には、風誘導部材２３を開閉動作させるための取っ手２３ｅが設けられている。
【００１４】
ヒンジ２４は、例えば、通風孔２２を囲む枠体における外壁８１から遠い位置にある通風孔２２の開口縁に沿った風誘導部材２３の辺縁を回転中心として当該風誘導部材２３を回転させるヒンジにより構成される。
【００１５】
実施形態１による風取込装置１によれば、図２；図４に示すように、風誘導部材２３の外壁８１に近い側の辺部２３ｔを開口部８５の中心８５ａに近づくように移動させることによって、外壁８１に沿って流れる風が通風孔２２を通過した後、風誘導部材２３の板面（外面）に沿って開口部８５側に導かれ、開口部８５を経由して室内８３に取り込まれる。
即ち、図２の矢印Ｆ１、図４の矢印Ｆ２に示すように、外壁８１に沿って流れる風が、通風孔２２を通過した後、風誘導部材２３の板面に沿って開口部８５側に導かれ、開口部８５を経由して室内８３に取り込まれる。
また、通風孔２２を塞ぐように風誘導部材２３を設定することで、建物８０の外壁８１に沿って流れる風を室内８３に取り込まないこともできる。
即ち、建物８０の外壁８１に沿って流れる風を室内８３に取り込めるとともに、建物８０の外壁８１に沿って流れる風を室内８３に取り込まないことも可能な風取込装置１を得ることができる。
【００１６】
また、風誘導部材２３が通風孔２２を塞ぐように設定された状態での風取込装置１が、窓枠８７で囲まれた開口部８５の前方に位置されないように構成すれば、風誘導部材２３が通風孔２２を塞ぐように設定された場合には、開口部８５の前方に、室内８３側から見た開口部８５の前方の室外８４の眺望を阻害するものが無くなるため、開口部８５の前方の眺望を損なうことも無くなる。
さらに、風誘導部材２３が通風孔２２を塞ぐように設定された場合には、開口部８５の前方において開口部８５の前方の室外８４から室内８３に向けて吹く風を遮るものが無くなるため、開口部８５の前方の室外８４から室内８３に向けて吹く風が開口部８５を介して室内８４にスムーズに取り込まれるようになる。
【００１７】
実施形態２
風誘導部材２３を遮風板２１に取付けるヒンジとして、例えば、３バーヒンジ（図５参照）、６バーヒンジ等のバーヒンジと呼ばれるヒンジを用いてもよい。
３バーヒンジは、遮風板２１の互いに対向する一対の枠辺部２１ｄ；２１ｄにそれぞれ固定される。
以下、図５に基づいて、遮風板２１の一対の枠辺部２１ｄ；２１ｄの一方に固定された３バーヒンジ２４Ｘと左側風誘導部材２３との関係を説明する。
３バーヒンジ２４Ｗは、遮風板２１の枠辺部２１ｄに固定される固定リンク２４ａと、一端が固定リンク２４ａの一端側に回転自在に取付けられた第１可動リンク２４ｂと、固定リンク２４ａ上を移動可能に設けられたスライダー２４ｃと、一端がスライダー２４ｃに回転自在に取付けられた第２可動リンク２４ｄと、一端が第２可動リンク２４ｄの他端に回転自在に取付けられかつ他端側寄り中央部が第１可動リンクの他端に回転自在に取付けられた連結リンク２４ｅと、風誘導部材２３が通風孔２２を開放するように作動する場合にスライダー２４ｃの移動を阻止するストッパー２４ｉと、風誘導部材２３が通風孔２２を閉じるように作動する場合に第２可動リンク２４ｄの回転を阻止するストッパー凹部２４ｊとを備えた構成である。
取付ねじ２４ｆが連結リンク２４ｅの取付孔２４ｇを介して風誘導部材２３の一方の端面２４ｈに締結され、風誘導部材２３の端面２４ｈと連結リンク２４ｅとが連結される。
同様に、一対の枠辺部２１ｄ；２１ｄの他方にも別の３バーヒンジ２４Ｗが固定され、風誘導部材２３の他方の端面と３バーヒンジ２４Ｗの連結リンク２４ｅとが連結される。
【００１８】
風誘導部材２３が通風孔２２を開閉可能なように、風誘導部材２３が上下一対、又は、左右一対の３バーヒンジ２４Ｗを用いて遮風板２１に取付けられている。
風誘導部材２３が通風孔２２を閉じるように作動する場合には、第１可動リンク２４ｂ、第２可動リンク２４ｄ、連結リンク２４ｅが、固定リンク２４ａと平行な状態に近づくように動作し、第２可動リンク２４ｄの一端部が回転してストッパー凹部２４ｊに嵌る。
風誘導部材２３が通風孔２２を開くように作動する場合には、連結リンク２４ｅと連結リンク２４ｅとが一直線状態に近づくように作動した後、スライダー２４ｃが固定リンク２４ａの一端側に移動し、第１可動リンク２４ｂ及び連結リンク２４ｅが開口部８５に近づく方向に移動する。
【００１９】
実施形態２の３バーヒンジ２４Ｗのようなバーヒンジを用いた場合、実施形態１と同じ効果が得られる他、風誘導部材２３の外壁８１に近い側の辺部２３ｔが開口部８５の中心８５ａに近づくように風誘導部材２３を回転させる場合において、風誘導部材２３全体を開口部８５に近づく方向に移動させることができ、風誘導部材２３の外壁８１に近い側の辺部２３ｔと開口部８５との間の離間距離を短くできる。
従って、外壁８１に沿って流れる風が、通風孔２２を通過した後、風誘導部材２３の板面に沿って開口部８５に導かれやすくなって室内８３に取り込まれやすくなる。
【００２０】
実施形態３
風誘導部材として、伸縮可能に構成された伸縮風誘導部材を用いてもよい。
以下、図６を参照し、伸縮風誘導部材２３Ｘについて説明する。
伸縮風誘導部材２３Ｘは、第１風誘導部材２３ａと第２風誘導部材２３ｂとを備える。
第１風誘導部材２３ａは、通風孔２２を塞ぐことが可能な大きさに形成され、ヒンジ２４により通風孔２２を開閉させるように可動可能に設けられ、かつ、第２風誘導部材２３ｂの板面における互いに対向する一対の辺部を移動可能に保持するための一対の保持部２３ｃ；２３ｄを備えた可動板により構成される。
一方の保持部２３ｃは、例えば、可動板となる四角形の板の一辺側を折り返して形成された断面凹状の溝レール２３ｆにより構成される。
他方の保持部２３ｄは、例えば、可動板となる四角形の板の一辺と平行に対向する他辺側を折り返して一方の保持部２３ｃの断面凹状の溝レール２３ｆと向かい合うように形成された断面凹状の溝レール２３ｇにより構成される。
第２風誘導部材２３ｂは、板面の一方の辺部が一方の保持部２３ｃの溝レール２３ｆ内を移動可能でかつ板面の一方の辺部と対向する板面の他方の辺部が他方の保持部２３ｄの溝レール２３ｇ内を移動可能なように保持された板材により構成される。
尚、２３ｅは、一対の保持部２３ｃ；２３ｄの溝レール２３ｆ；２３ｇに第２風誘導部材２３ｂを出し入れするための取っ手である。また、第２風誘導部材２３ｂの保持部２３ｃ；２３ｄからの脱落を防止するための図外のストッパーが設けられている。
第１風誘導部材２３ａと第２風誘導部材２３ｂとが重ね合わされた状態の伸縮風誘導部材２３Ｘの外壁８１に近い側の辺部を開口部８５の中心８５ａに近づくように移動させ、かつ、第２風誘導部材２３ｂの外壁８１に近い側から当該第２風誘導部材２３ｂを溝レール２３ｆ；２３ｇから引き出して、当該第２風誘導部材２３ｂの外壁８１に近い側の辺部２３ｕを開口部８５に近づける。
【００２１】
実施形態３の伸縮風誘導部材２３Ｘを用いた場合、実施形態１と同じ効果が得られる他、第１風誘導部材２３ａの外壁８１に近い側の辺部が開口部８５の中心８５ａに近づくようにかつ開口部８５から離れる方向に移動した場合でも、第２風誘導部材２３ｂを溝レール２３ｆ；２３ｇより引き出して伸縮風誘導部材２３Ｘを伸長させることで、第２風誘導部材２３ｂの外壁８１に近い側の辺部２３ｕが開口部８５に近づき、第２風誘導部材の外壁８１に近い側の辺部２３ｕと開口部８５との間の離間距離を短くできる。
従って、外壁８１に沿って流れる風が、通風孔２２を通過した後、第２風誘導部材２３ｂの板面（外面）に沿って開口部８５に導かれやすくなって室内８３に取り込まれやすくなる。
【００２２】
尚、上述したヒンジにより回転可能に構成された風誘導部材の回転角度を所定の角度に、すなわち、予め定められた固定の角度や例えば風の強さに応じて使用者が希望する任意の角度に維持するためのストッパーを備えることが好ましい。当該ストッパーとしては、例えば、調整器と呼ばれる突張棒のようなストッパーやヒンジに内蔵されたストッパー等がある。
【００２３】
実施形態４
開口部８５の上の開口縁部８６より室外８４に突出するように設ける風取込装置１Ａとして、ルーバー３を備えた構成のものを用いてもよい。
図７に示すように、ルーバー３は、例えば四角形状の枠部材３０の中央側に位置する四角形状の開口部３１の互いに平行に対向する一対の開口端面３２；３２に両端部が回転可能に支持された羽板３３；３３…と呼ばれる細長い板を複数備え、当該複数の羽板３３；３３…が一対の開口端面３２；３２に沿った方向に一定の間隔を隔てて互いに隣り合うように設けられ、開口部３１の開口端面３２；３４と直交する面と各羽板３３；３３…の板面とのなす角度を変更できるように構成された可動ルーバーである。
即ち、遮風板が通風孔となる開口部３１を備えた枠部材３０により構成され、風誘導部材が開口部３１に回転可能に設けられた複数の羽板３３；３３…により構成された、風取込機能、採光機能、及び、遮光機能を実現するルーバー３を備えた風取込装置１である。
【００２４】
実施形態４によるルーバー３を備えた風取込装置１Ａによれば、建物８０の外壁８１に沿って上方から下方に向かって流れる風を室内８３に取り込むことができるとともに、図８の矢印Ｓ１に示すように、例えば冬場の日射光を室内８３に取り込むことも可能となる。また、図８の矢印Ｓ２に示すように、例えば夏場の日射光が室内８３に入射しないようにすることも可能となる。
【００２５】
実施形態５
図９及び図１０に示すように、開口部８５の上の開口縁部８６より室外８４に突出するように設けられた図７に示すようなルーバー３を備えた構成の風取込装置１Ａと、開口部８５の左の開口縁部８６より室外８４に突出するように設けられた図１に示すような風取込装置１と、開口部８５の右の開口縁部８６より室外８４に突出するように設けられた図３に示すような風取込装置１と、を備えた構成の風取込装置１Ｂとしてもよい。
尚、図９及び図１０においては、図１乃至図４、図７及び図８と同一部分又は相当部分には同一符号を付し、その詳説を省略する。
【００２６】
実施形態５による風取込装置１Ｂによれば、実施形態１乃至実施形態４と同じ効果が得られる。
また、実施形態５による風取込装置１Ｂによれば、開口部８５の左右の開口縁部８６より室外８４に突出する左右一対の風取込装置１；１を備えるので、風誘導部材２３が開口部８５の左方から外壁８１に沿って流れてくる風を開口部８５に導くことが可能な状態に設定されるとともに、風誘導部材２３が開口部８５の右方から外壁８１に沿って流れてくる風を開口部８５に導くことが可能な状態に設定され、風誘導部材２３が当該状態に維持されることによって、当該状態で開口部８５の左方から外壁８１に沿って流れてくる風及び開口部８５の右方から外壁８１に沿って流れてくる風の両方を室内８３に取り込めるようになる。
即ち、左右の風誘導部材２３；２３をともに風取り込み可能状態に設定できるので、当該状態で外壁８１に沿って流れる風を開口部８５の左右の方向から室内８３に取り込めるようになる。
また、左右一対の風取込装置１；１の一方の通風孔２２を風誘導部材２３で閉塞するととも他方の通風孔２２を開通させることにより、開口部８５の左方から外壁８１に沿って流れてくる風、開口部８５の右方から外壁８１に沿って流れてくる風を、個別に室内８３に取り込むことも可能である。
【００２７】
実施形態６
遮風板が折畳み可能に構成され、伸長状態において、窓枠８７の縦枠に沿って上下方向に延長するように設定され、かつ、折畳まれた状態において、窓枠８７の上横枠に沿って左右方向に延長するように設定された折畳み式風取込装置１Ｘであってもよい。
折畳み式風取込装置１Ｘは、遮風板２５が、例えば図１１に示すように、長方形枠状に形成された一対の遮風板２５Ａ；遮風板２５Ｂにより構成される。
遮風板２５Ａ；２５Ｂは、例えば、同じ大きさに形成され、長辺同士が一直線上に位置されるように一方の遮風板２５Ａの短辺下端と他方の遮風板２５Ｂの短辺上端とがヒンジ２４Ｙを介して連結される。折畳み式風取込装置１Ｘは、ヒンジ２４Ｙにより一方の遮風板２５Ａと他方の遮風板２５Ｂとが互いに近づく方向に回転して一方の遮風板２５Ａと他方の遮風板２５Ｂとが重なり合うように折畳み可能な構成となっている。
折畳み式風取込装置１Ｘは、例えば一方の遮風板２５Ａの短辺上端が外壁８１に設けられた図外の支持部にヒンジ２４Ｘを介して取付けられて、遮風板２５Ａ；２５Ｂの長辺同士が例えば垂直方向に一直線上に位置された伸長状態に設定された場合、遮風板２５の上下方向の高さ寸法は窓枠８７の縦枠の上下の高さ寸法とほぼ同じ寸法となるように形成される。
【００２８】
実施形態７
遮風板が伸縮自在に構成され、伸長状態において、窓枠８７の縦枠に沿って上下方向に延長するように設定され、かつ、縮状態において、窓枠８７の上横枠に沿って左右方向に延長するように設定された伸縮式風取込装置１Ｙであってもよい。
伸縮式風取込装置１Ｙは、遮風板２７が、例えば図１２に示すように、例えば、長方形枠状に形成された一対の遮風板２７Ａ及び遮風板２７Ｂにより構成される。
一方の遮風板２７Ａは、他方の遮風板２７Ｂを保持するための前後一対の保持部２７ａ；２７ｂを備えた可動板により構成される。保持部２７ａは、例えば、可動板となる四角形の板の一辺側を折り返して形成された断面凹状の溝レール２７ｃより構成され、保持部２７ｂは、例えば、可動板となる四角形の板の一辺と平行に対向する他辺側を折り返して保持部２３ａの断面凹状の溝レール２７ｃと向かい合うように形成された断面凹状の溝レール２３ｄにより構成される。
他方の遮風板２７Ｂは、一方の長辺側が保持部２７ａの溝レール２７ｃ内を移動可能でかつ他方の長辺側が保持部２７ｂの溝レール２７ｄ内を移動可能なように保持された板材により構成される。尚、第２風誘導部材２７ｂの溝レール２７ｃ；２７ｄからの脱落を防止するための図外のストッパが設けられている。
遮風板２７は、一方の遮風板２７Ａの短辺上端が外壁８１に設けられた図外の支持部にヒンジ２４Ｚを介して取付けられて、遮風板２７Ａ；２７Ｂの長辺同士が例えば垂直方向に一直線上に位置された伸長状態に設定された場合、遮風板２７の上下方向の高さ寸法は窓枠８７の縦枠の上下の高さ寸法とほぼ同じ寸法となるように形成される。
【００２９】
尚、実施形態６；７において、折畳み式風取込装置１Ｘや伸縮式風取込装置１Ｙの伸長状態を維持させるために、伸長状態の折畳み式風取込装置１Ｘや伸縮式風取込装置１Ｙを窓枠８７の縦枠に垂直状態となるように固定する図外の固定手段、あるいは、伸長状態の折畳み式風取込装置１Ｘや伸縮式風取込装置１Ｙを窓枠８７の縦枠側に垂直状態となるように外壁８１に固定する図外の固定手段を備え、かつ、折畳み式風取込装置１Ｘの折畳まれた状態や伸縮式風取込装置１Ｙの縮状態を維持させるために、折畳まれた状態の折畳み式風取込装置１Ｘや縮状態の伸縮式風取込装置１Ｙを窓枠８７の上横枠に水平状態となるように固定する図外の固定手段、あるいは、折畳まれた状態の折畳み式風取込装置１Ｘや縮状態の伸縮式風取込装置１Ｙを窓枠８７の上横枠側に水平状態となるように外壁８１に固定する図外の固定手段を備える。
また、実施形態６の遮風板２５Ａや遮風板２５Ｂで囲まれた通風孔を開閉可能な風誘導部材２６や実施形態７の遮風板２７Ａや遮風板２７Ｂで囲まれた通風孔を開閉可能な風誘導部材２８は、例えば実施形態１乃至実施形態４で説明したヒンジと同様なヒンジにより遮風板に取付けられ、上述したように、外壁８１に沿って吹く風を室内８３に取り込むことが可能な状態に設定される。
実施形態６の折畳み式風取込装置１Ｘ、実施形態７の伸縮式風取込装置１Ｙによれば、実施形態１と同じ効果が得られる他、折畳まれた状態や縮状態で水平状態となるように上横枠や外壁８１に固定された場合、斜め上方向からの光を遮ったり、横方向からの光を室内８３に導けるようになり、また、室内８３から開口部８５を介して室外８４の左右の眺望を望めるようになる、という効果が得られる。
【００３０】
実施形態８
実施形態６の遮風板２５Ａ；２５Ｂで囲まれた通風孔を開閉可能な風誘導部材２６や実施形態７の遮風板２７Ａ；２７Ｂで囲まれた通風孔を開閉可能な風誘導部材２８が、通風孔２６や通風孔２８の互いに対向する一対の開口端面間（例えば一対の長辺開口端面間）の中心を通過する一対の開口端面（例えば一対の長辺開口端面）と平行な回転中心軸を介して回転可能な構成であってもよい。
この場合、風誘導部材２６や風誘導部材２８を、外壁８１に沿って流れてくる風を開口部８５に導く状態に維持する図外の調整器等を設ければよい。
実施形態８によれば、実施形態６；７と同じ効果が得られる。
【００３１】
実施形態９
実施形態８のように、風誘導部材２６や風誘導部材２８が、通風孔や通風孔の互いに対向する一対の開口端面間の中心を通過する一対の開口端面と平行な回転中心軸を介して回転可能に構成され、風誘導部材２６や風誘導部材２８の板の板面を回転中心軸を中心として１８０°反転させることができるように構成された風取込装置において、風誘導部材２６や風誘導部材２８の板の一方の板面を反射率の高い板面に形成するとともに、風誘導部材２６や風誘導部材２８の板の他方の板面を反射率の低い板面に形成する。
実施形態９の風取込装置によれば、風誘導部材２６や風誘導部材２８が通風孔を閉じる状態に設定される場合において、反射率の高い板面が開口部８５側に位置されるようにすれば、太陽光及び太陽熱が反射率の高い板面で反射して室内８３に取り込まれやすくなり、また、反射率の低い板面が開口部８５側に位置されるようにすれば、太陽光及び太陽熱が室内８３に取り込まれにくくなる。
例えば、春季や秋季の寒い日や冬季においては、風誘導部材２６や風誘導部材２８における反射率の高い板面が開口部８５側に位置されるようにし、春季や秋季の暑い日や夏季においては、風誘導部材２６や風誘導部材２８における反射率の低い板面が開口部８５側に位置されるようにすれば、暖房期における暖房負荷を軽減できるとともに、冷房期における冷房負荷を軽減できるようになる。
【００３２】
実施形態１０
窓枠８７の縦枠、又は、上枠、又は、下枠に着脱可能に構成された風取込装置であってもよい。
図１３乃至図１５に基づいて、例えば窓枠８７の左縦枠８７Ａに着脱可能に構成された風取込装置１Ｃを例にして説明する。
風取込装置１Ｃは、板材により形成され、取付部４０と、通風孔４１が形成された遮風板４２と、外壁８１に沿って流れる風を通風孔４１に導く風誘導部材４３とを備える。
取付部４０は、左縦枠８７Ａの外側面及び前面に接触可能なように、左縦枠８７Ａに沿って延長する断面Ｌ字状の板部により構成される。当該取付部４０が、図外の取付ねじや係合等による取付手段によって左縦枠８７Ａに着脱可能に取付けられる。
遮風板４２は、取付部４０が左縦枠８７Ａに取付けられた状態において、取付部４０が取付けられた左縦枠８７Ａと平行に対向する右縦枠８７Ｂに近づく方向及び縦枠（左縦枠８７Ａ；右縦枠８７Ｂ）に沿った方向に延長する板面及び当該板面を貫通するように形成された通風孔４１が開口部８５と向かい合うよう開口部８５の前方の室外８４側に位置される。
風誘導部材４３は、遮風板４２の右縦枠８７Ａに最も近い端部４４より開口部８５の前方の室外８４側に延長した後、左縦枠８７Ａに近づく方向に湾曲した板材により形成され、当該湾曲部４５が通風孔４１と向かい合うように位置された構成である。
実施形態１０の風取込装置１Ｃが取付部４０を介して図外の取付手段で窓枠８７に取付けられた場合、外壁８１に沿って流れる風が風誘導部材４３に衝突して通風孔４１の方向に導かれる。この場合、風誘導部材４３の前端側が窓枠８７に近づく方向に湾曲した湾曲部４６に形成されているので、図１４の矢印Ｆ１に示すように、外壁８１に沿って流れる風が湾曲部４５の湾曲面４６に衝突した場合に通風孔４１の方向に導かれやすくなる。
従って、外壁８１に沿って流れる風が風誘導部材４３に衝突した後、通風孔４１を介して室内８３に取り込まれやすくなる。
【００３３】
実施形態１１
窓枠８７の縦枠、又は、上枠、又は、下枠に着脱可能に構成された風取込装置１Ｄであって、図１６；図１７に示すように、風取込装置１Ｄは、板材により形成され、取付部５０と、通風孔５１が形成された遮風板５２と、外壁８１に沿って流れる風を通風孔４１を開閉可能なようにヒンジ５４により遮風板５２に取付けられた風誘導部材５３とを備える。
取付部５０は、例えば窓枠８７の左縦枠の外側面及び前面に接触可能なように、左縦枠に沿って延長する断面Ｌ字状の板部により構成される。当該取付部４０が、図外の取付ねじや係合等による取付手段によって左縦枠に着脱可能に取付けられる。
遮風板５２は、取付部５０が例えば左縦枠に取付けられた状態において、開口部８５の前方及び左縦枠に沿った方向に延長する板面により形成され、当該遮風板５２の板面を貫通するように通風孔５１が形成された構成である。つまり、通風孔５１の中心線は外壁８１の面と平行に左右又は上下方向に延長する線であり、従って、通風孔５１は外壁８１に沿って流れる風を通過させる。
風誘導部材５３は、例えば、遮風板５３の前端縁を回転中心としてヒンジ５４により回転可能に設けられて通風孔５１を開閉可能とする板材により形成された構成である。
即ち、実施形態１乃至実施形態３の風取込装置１が窓枠８７に着脱可能に構成された風取込装置１Ｄとした。
従って、図１６の如く、風誘導部材５３が通風孔５１を開放した風取込可能状態において、外壁８１に沿って流れる風が矢印Ｆ１のように通風孔５１を通過して風誘導部材５３に衝突した後、開口部８５の方向に移動し、室内８３に取り込まれやすくなる。
【００３４】
実施形態１２
図１８に示すように、開口部８５を開閉する戸９０；９０の前方において窓枠８７に取付けられる網戸６１の縦框６２、又は、上框、又は、下框に、図外の取付ねじ等の取付手段により着脱可能な構成の取付部６０を備えた風取込装置１Ｅとしてもよい。即ち、当該風取込装置１Ｅは、取付部６０以外は、上述した風取込装置１Ｃ；１Ｄと同じ構成である。
尚、図１４；図１６；図１８においては、図２及び図４と同一部分又は相当部分には同一符号を付し、その詳説を省略する。
【００３５】
実施形態１０；１１；１２の風取込装置１Ｃ；１Ｄ；１Ｅによれば、実施形態１の風取込装置１と同様な効果が得られる他、窓枠や網戸に着脱可能であるので、複数の窓に流用可能となり、また、必要の無い場合に窓周りをスッキリさせることができる。また、窓枠や網戸を掃除する場合、取り外すことができるので、窓枠や網戸を掃除しやすくなる。
尚、風取込装置１Ｃ；１Ｄ；１Ｅに、実施形態２のバーヒンジや、実施形態３の伸縮風誘導部材を適用すれば、外壁８１に沿って流れる風をさらに取り込みやすい着脱可能な風取込装置を得ることができる。
また、図２；図４；図１０；図１４；図１６；図１８では、風を室内に取り込む際に窓を開放している例を示したが、窓の全部又は一部が網戸やスリット等で構成された閉鎖状態であっても、風を室内に取り込むことか可能であれば、必ずしも窓の開放は必要ではない。
【符号の説明】
【００３６】
１；１Ａ；１Ｂ；１Ｄ；１Ｅ；１Ｘ；１Ｙ  風取込装置、２１  遮風板、２２  通風孔、２３  風誘導部材、８０  建物、８１  外壁、８３  室内、８４  室外、８５  開口部、８６  開口縁部。
【図１】
2015145600.tif 000003
【図２】
2015145600.tif 000004
【図３】
2015145600.tif 000005
【図５】
2015145600.tif 000006
【図６】
2015145600.tif 000007
【図７】
2015145600.tif 000008
【図８】
2015145600.tif 000009
【図９】
2015145600.tif 000010
【図１１】
2015145600.tif 000011
【図１２】
2015145600.tif 000012
【図１３】
2015145600.tif 000013
【図１４】
2015145600.tif 000014
【図１６】
2015145600.tif 000015
【図１７】
2015145600.tif 000016
【図１８】
2015145600.tif 000017
【図４】
2015145600.tif 000018
【図１０】
2015145600.tif 000019
【図１５】
2015145600.tif 000020